(57)【要約】【課題】事前にリレー内部に残った異物を検出し、取り除くことができ、使用中に異物がリレーの接点に付着しヒータオンオフの不具合が発生することを防止することができる食器洗い機を提供する。【解決手段】食器類３等の被洗浄物を洗浄する食器洗い機であって、制御手段２１は、操作手段６の任意の所定操作により、ヒータ１１を駆動するリレー２２をオンオフする位相を電源周期に同期した電源電圧が最大となる位相に固定するようにして、リレー２２内部の異物がスパーク時に発生する静電気により、接点に付着しやすくし、かつ、接点に付着した異物をスパークにより焼いてしまうことができ、ヒータ１１オンオフの不具合を事前に防止することができる。【選択図】図１
2012217738.tif 000002
【特許請求の範囲】
【請求項１】
被洗浄物を洗浄する食器洗い機であって、食器洗い機への指示を入力するための操作手段と、前記操作手段により入力された制御情報に基づいて食器洗い機の運転制御を行う制御手段と、洗浄水を加熱したり被洗浄物を乾燥させるヒータと、前記ヒータをオンオフするリレーとを備え、前記制御手段は、前記操作手段の任意の所定操作により、前記リレーをオンオフするタイミングを電源周期に同期した電源電圧が最大となる位相に固定するようにした食器洗い機。
【発明の詳細な説明】
【技術分野】
【０００１】
本発明はヒータで洗浄水や空気を加熱して食器類等の被洗浄物を洗浄、乾燥する食器洗い機に関するものである。
【背景技術】
【０００２】
一般的に、ヒータを備えた食器洗い機では、長期間の使用によるヒータ駆動用のリレーの接点の劣化を防止し、寿命を延ばすために、リレーのオンオフするタイミングを電源周期のランダムなタイミングでオンオフされる（例えば、特許文献１参照）。
【０００３】
これによれば、食器洗い機において、ヒータ駆動用のリレーのオンオフタイミングがランダムに制御されるので、リレー接点の磨耗が少なく、接点寿命を延ばすことが可能となる。
【先行技術文献】
【特許文献】
【０００４】
【特許文献１】特開平８−９６６８２号公報
【発明の概要】
【発明が解決しようとする課題】
【０００５】
しかしながら、このような従来の技術では、リレー内に異物が混入していた場合、たとえば、リレー組み立て時に塵やリレーのケースの樹脂片が内部に残っていた場合、リレーの製造工程の検査では発見できなかったものが、実際にリレーをオンオフしたときの静電気によりリレーの接点に異物が付着することがある。このとき、接点が接触しないので、ヒータがオンしないことになる。よって、十分被洗浄物が洗われない場合や異常を検出して正常に運転できないという不都合が発生する。リレーのオンオフタイミングがランダムであるために、電源周期のゼロクロス近傍でリレーがオンすると、リレーの接点ではほとんど火花（スパーク）が発生しない。よって、静電気も起こりにくく異物は接点に近づかない。リレーのオンオフを繰り返すと異物が接点に付着することがあり、最終的に使用者が食器洗い機を使用中に異物が接点に付着し不具合が発生することになる。また、異物が接点に付着していても火花（スパーク）が発生しないために、火花で異物を焼いてしまうことができないという不具合を有していた。
【０００６】
本発明は、上記従来の課題を解決するもので、リレーの内部に異物が混入している場合でも、食器洗い機の製造工程の検査で、リレーを電源周期の電源電圧が最大になる位相でオンオフさせることにより、異物がスパーク時に発生する静電気により、接点に付着しやすくなり、かつ、接点に付着した異物を火花により焼いてしまうことができ、また、異物を焼くことができない場合でも、製造工程の検査時に接点がつながらないことを検出できるので、使用者が食器洗い機を使っているうちに、ヒータオンオフの不具合が発生するということもない食器洗い機を提供することを目的とする。
【課題を解決するための手段】
【０００７】
本発明は、上記目的を達成するために、被洗浄物を洗浄する食器洗い機であって、食器洗い機への指示を入力するための操作手段と、前記操作手段により入力された制御情報に基づいて食器洗い機の運転制御を行う制御手段と、洗浄水を加熱したり被洗浄物を乾燥させるヒータと、前記ヒータをオンオフするリレーとを備え、前記制御手段は、前記操作手段の任意の所定操作により、前記リレーをオンオフするタイミングを電源周期に同期した電源電圧が最大となる位相に固定するようにした食器洗い機であり、リレーの内部に異物
が混入している場合でも、食器洗い機の製造工程の検査で、リレーを電源周期の電源電圧が最大になる位相でオンオフさせることにより、異物がスパーク時に発生する静電気により、接点に付着しやすくなり、かつ、接点に付着した異物を火花により焼いてしまうことができる。また、異物を焼くことができない場合でも、製造工程の検査時に接点がつながらないことを検出できるので、使用者が食器洗い機を使っているうちに、ヒータオンオフの不具合が発生するということもなくなる。
【発明の効果】
【０００８】
本発明の食器洗い機は、ヒータ駆動用のリレー内部に異物が混入していた場合、食器洗い機の製造工程で検査により検出が容易であり、また、異物を火花で焼くことにより使用者が食器洗い機を使っているうちに、ヒータオンオフの不具合が発生するということもなくなる。
【図面の簡単な説明】
【０００９】
【図１】本発明の実施の形態１の食器洗い機の縦断面図
【図２】本発明の実施の形態１の食器洗い機の制御装置のブロック図
【図３】本発明の実施の形態１の食器洗い機のリレーの制御を示すフローチャート
【図４】本発明の実施の形態１の食器洗い機の操作手段および表示手段を示す平面図
【図５】本発明の実施の形態１の食器洗い機のリレーのオンオフタイミングチャート
【図６】本発明の実施の形態１の食器洗い機のリレーの接点を示す模式図
【発明を実施するための形態】
【００１０】
本発明は、被洗浄物を洗浄する食器洗い機であって、食器洗い機への指示を入力するための操作手段と、前記操作手段により入力された制御情報に基づいて食器洗い機の運転制御を行う制御手段と、洗浄水を加熱したり被洗浄物を乾燥させるヒータと、前記ヒータをオンオフするリレーとを備え、前記制御手段は、前記操作手段の任意の所定操作により、前記リレーをオンオフするタイミングを電源周期に同期した電源電圧が最大となる位相に固定するようにしたことで、リレーの内部に異物が混入している場合でも、食器洗い機の製造工程の検査で、リレーを電源周期の電源電圧が最大になる位相でオンオフさせることにより、異物がスパーク時に発生する静電気により、接点に付着しやすくなり、かつ、接点に付着した異物を火花により焼いてしまうことができる。また、異物を焼くことができない場合でも、製造工程の検査時に接点がつながらないことを検出できるので、使用者が食器洗い機を使っているうちに、ヒータオンオフの不具合が発生するということもなくなる。
【００１１】
以下、本発明の実施の形態について、図を参照しながら説明する。なお、この実施の形態によって本発明が限定されるものではない。
【００１２】
（実施の形態１）
図１は本発明の実施の形態１の食器洗い機の縦断面図を示し、システムキッチンに収容された筐体１は、上方に開口部２を有し食器類３（被洗浄物）を収容し洗浄する洗浄槽４を設けている。洗浄槽４は給水弁５を介して水道配管と接続されており、運転時に洗浄槽４内に水を供給するようにしている。筐体１の前面には電源のオンオフ、運転コースの選択などを行う操作手段６、各状態の表示を行う表示手段７を配設している。また洗浄槽４は、筐体１の両側面内側に略水平方向に架設されたレール８に沿って前後方向に引き出し自在となっており、筐体１内に収納したときはロック手段により洗浄槽４を筐体１から引き出せないようにロックおり、ロックを解除することで洗浄槽４を筐体１から引き出し可能に構成している。
【００１３】
洗浄槽４の内部には食器類３を収容する食器かご９を配置し、食器かご９の下方には洗
浄ノズル１０を回転自在に設けており、洗浄槽４内部に洗浄水を加熱するヒータ１１と洗浄槽４の底部に排水口１２を設けている。また洗浄槽４の外側には洗浄槽４内の温度を検知するサーミスタ等で構成された温度検知手段１３と、前記排水口１２に溜まる洗浄水を前記洗浄ノズル１０に送るモータ１４を具備した洗浄ポンプ１５を配置し、排水口１２に溜まる洗浄水を洗浄ポンプ１５によって循環させ、洗浄ノズル１０より噴射して食器類３を洗浄するよう構成している。
【００１４】
また、筐体１の上方に開口部２を閉塞するための蓋体１６を配置し、前後一対のリンクを含む左右一対の平行リンク機構１７により上下動自在に支持されるとともに、洗浄槽４の開口部２をシールする弾性体のシール部材１８が固定され、洗浄槽４を引き出したとき、シール部材１８が洗浄槽４の前後の移動に干渉しないよう上方に逃がす構成としている。
【００１５】
また、洗浄槽４内の空気を排出する排気口（図示しない）と、洗浄槽４内に外気を供給するファン２０を備えており、乾燥工程時に洗浄槽４内の湿った空気を排気口を通して洗浄槽４外に排出する構成としている。
【００１６】
図２は本発明の実施の形態１の食器洗い機の制御装置のブロック図を示し、制御装置２３の主要部である制御手段２１は、操作手段６に所定の操作を加えることで表示手段７に運転経過状態を表示させることができる。また、給水弁５と洗浄ポンプ１５とファン２０とヒータ１１をオンオフ制御することで、洗浄・すすぎ・乾燥の各工程を逐次制御することができる。また、ヒータ１１はリレー２２により電源周期の所定の位相でオンオフされる。
【００１７】
以上のように構成した食器洗い機について、図３の本発明の実施の形態１の食器洗い機のリレーの制御を示すフローチャートと図４の操作手段および表示手段を示す平面図と図５のリレーのオンオフタイミングチャートと図６のリレーの接点を示す模式図を用いて、動作、作用を説明する。
【００１８】
通常、使用者が操作手段６の電源切／入スイッチを押し、続いて、コーススイッチを押して希望のコースを選択し、一時停止／スタートスイッチを押すことにより、運転が開始される（ステップ５０）。制御手段２１は操作手段６の操作からデモ操作されていないことを判定すると（ステップ５１）、ヒータ１１を制御するリレー２２のオンオフのタイミングを電源周期のランダムな位相で行う（ステップ５３）。図５（ａ）は商用電源波形と１周期あたりのリレー２２のオンオフタイミングを示している。乱数を用いてリレー２２をオンオフする方法もあるが、図のように１周期を８等分した位相Ａ〜Ｈの位相で順次オンオフしても同様の効果が得られる。
【００１９】
位相Ａ、Ｅでリレー２２をオンまたはオフしたとき（例えば、図５（ｃ）参照）、リレー２２の接点間に印加される電圧は最小でほぼ０Ｖに近い。このとき、突入電流はほとんど流れず接点が接触するときに発生する火花（スパーク）もほとんどない。逆に位相Ｃ、Ｇでリレー２２をオンまたはオフしたとき（例えば、図５（ｂ）参照）、リレー２２の接点間に印加される電圧は最大でほぼ１４１Ｖに近くなる。このとき、最大の突入電流が接点を流れるので、接点が接触したときに火花（スパーク）が発生する。通常の運転ではリレー２２のオンオフ耐久寿命を延ばすために、ランダムな位相でオンオフされる。その後、次工程に進み、洗浄・すすぎ・乾燥の工程を行う。
【００２０】
しかしながら、たとえば、リレー２２の内部に塵やリレー２２のケースの樹脂片などの異物がリレー２２の製造工程で進入していると、ほとんどは検査工程で吸引その他により取り除かれるが、まれに内部に留まったまま検査で発見できない場合がある。また、運搬
時に異物がリレー２２内で移動し、図６に示すように銀合金からなる接点に付着すると、リレー２２をオンさせても接点が異物のために接触せず、電流が流れないことになる。また、リレー２２をオンオフするときに大小の火花が発生するが、それに伴い静電気が起こり、異物が接点の近傍に引き寄せられることもある。よって、リレー２２のオンオフを繰り返すと異物が接点に付着し、電流が流れずヒータ１１に通電されないという不具合が発生する。
【００２１】
そこで、本発明の食器洗い機では、操作手段６の任意の所定操作、たとえば、コーススイッチを５秒以上押しながら電源切／入スイッチを押すことで、デモ操作モードに入ることにより（図３におけるステップ５１）、リレー２２をオンオフする位相を固定することができるように構成している（ステップ５２）。このとき、位相は図５（ａ）の位相Ｃ、Ｇで、火花（スパーク）が最大となる位相に固定される。通常の運転において、リレー２２をオンオフする位相を固定する場合は、次工程に進む。（ステップ５４）
実用的には、食器洗い機にリレー２２を組み込んだ状態で検査をするとき、短時間で検査を行う必要があり、上記のデモ操作モードに入れて、専用のデモ運転を行うことになる。デモ運転では、火花（スパーク）が最大となる位相（図５（ａ）の位相Ｃ、Ｇ）でリレー２２のオンオフ回数を増やし、混入している異物が接点に付着しやすくする。また、一旦付着した異物もリレー２２のオンオフ時の火花により焼いてしまうこともできる。焼かれない場合でも、検査工程で異常が発見できるので、市場で使用者が使っているときに、異物が接点に付着することを事前に防止することができる。
【００２２】
以上により、リレーの内部に異物が混入している場合でも、食器洗い機の製造工程の検査でリレーを電源周期の電源電圧が最大になる位相でオンオフさせることにより、異物がスパーク時に発生する静電気によって接点に付着しやすくし、かつ、接点に付着した異物を火花により焼いてしまうことができる。異物を焼くことができない場合でも、製造工程の検査時に接点がつながらないことを検出できるので、使用者が食器洗い機を使っているうちに、被洗浄物が十分に洗われないという不具合や異常を検出して正常に運転できないという不具合が発生するということもなくすことができる。
【００２３】
なお、本発明の食器洗い機が備えるヒータ駆動用のリレー制御技術は、ヒータをオンオフするリレーを備えた電気機器、例えば、洗濯乾燥機、衣類乾燥機等にも適用可能なものである。
【産業上の利用可能性】
【００２４】
以上のように、本発明にかかる食器洗い機は、異物が通電時に発生する静電気によってヒータをオンオフするリレーの接点に付着しやすくなり、かつ、接点に付着した異物を火花により焼いてしまうことができ、また、異物を焼くことができない場合でも、製造工程の検査時に接点がつながらないことを検出できるので、使用者が食器洗い機を使っているうちに不具合が発生するということもなくすことができる。したがって、ヒータで洗浄水や空気を加熱して食器類等の被洗浄物を洗浄、乾燥する食器洗い機等として有用である。
【符号の説明】
【００２５】
６  操作手段
７  表示手段
１１  ヒータ
２１  制御手段
２２  リレー
【図１】
2012217738.tif 000003
【図２】
2012217738.tif 000004
【図３】
2012217738.tif 000005
【図４】
2012217738.tif 000006
【図５】
2012217738.tif 000007
【図６】
2012217738.tif 000008